(57)【特許請求の範囲】
【請求項１】
押圧動作によりスイッチを作動させる釦構造において、
前記釦の裏面側に照明手段を有し、
前記釦には照明手段の光源より下方に延在するとともに、少なくとも一部が光源を保持するホルダに設けられた孔に釦の押圧動作にかかわらず常時挿入状態となる光遮蔽部を備えることを特徴とする釦の照明構造。
【発明の詳細な説明】
【０００１】
【発明の属する技術分野】
本発明は、電子機器等に用いられる釦の照明構造に係り、詳細にはシーソー釦の照明光の漏光防止構造に関する。
【０００２】
【従来の技術】
従来のシーソー釦の照明構造を図６を用いて説明する。
【０００３】
図６は従来のシーソー釦の照明構造を示す概略図で、（ａ）は平面図、（ｂ）はＭ−Ｍ断面図、（ｃ）はＮ−Ｎ断面図である。
【０００４】
１００はシーソー釦の照明構造で、シーソー釦１１０、前面パネル１２０およびホルダ１３０等により構成されている。
【０００５】
１１０はシーソー釦で、指等で直接操作（押下げ）するＬ（左）側、Ｒ（右）側２箇所の操作部となる釦部１１１の図示下端より水平方向へ縁部１１２が形成されており、断面形状が半円形の凸部１１８が図示上方向へ突出している。また、釦部１１１の下端の図示左右両端には垂直下方向へスイッチ押部１１３、１１４が形成されている。また、釦部１１１の裏面には、釦部１１１のＬ側とＲ側の略中央部（Ｌ側とＲ側を分岐するＮ−Ｎ線上の左右２箇所）に、シーソー機構の支点となるシーソー支点１１５が形成されており、シーソー支点１１５はホルダ１３０の表面に当接している。
【０００６】
シーソー釦１１０の材料には例えば乳白色のＡＢＳ樹脂が用いられ成形加工により形成される。成形加工後に釦部２１の表面を所定の塗料で塗装した後に、トップ部に塗装された塗装皮膜１１９をレーザ加工等により除去（母材の乳白色が現れるまで）し、文字や記号の表示部（方形にて位置のみを図示）１１６を形成する。そして、シーソー釦１１０の裏面より照明用発光ダイオード（ＬＥＤ）１３１等により照明してトップ部に形成された文字や記号１１６等を見やすくする。
【０００７】
１２０は前面パネルで、釦部挿入孔１２１およびホルダ１３０等の取り付け孔等が形成されている。
【０００８】
ホルダ１３０（または、機器をコントロールする前面基板）には、シートスイッチ１３２（スイッチ部１３３、１３４）および照明用発光ダイオード１３１等が取り付けられている。
【０００９】
次に、シーソー釦の組付けを説明する。
【００１０】
シーソー釦１１０を組付けるには、先ずシーソー釦１１０を前面パネル１２０の釦部挿入孔１２１の図示下方から挿入し、釦部１１１の凸部１１８を前面パネル１２０の裏面に当接させる。次に、ホルダ１３０を図示下方から挿入して前面パネル１２０にねじ止め固定する。この状態で釦部１１１は、凸部１１８の先端とシーソー支点１１５が前面パネル１２０の裏面と、ホルダ１３０の表面とで挟持される。
【００１１】
次に、シーソー釦の動作を用いて説明する。
【００１２】
スイッチ部１３３をＯＮさせるためにシーソー釦１１０のＬ側を押すと、シーソー釦１１０は、シーソー支点１１５を支点にして矢印Ｌ側方向へ回動し、シーソー釦１１０のスイッチ押部１１３の先端部がスイッチ部１３３に当接して押し込みスイッチ部１３３がＯＮする。尚、シーソー釦１１０の押圧操作を解除すると、スイッチ部１３３の弾性力によりシーソー釦１１０は元の位置へ復帰する。また、シーソー釦１１０のＲ側を押すとＬ側を押した時の逆方向のスイッチ部１３４がＯＮし、Ｌ側を押した時と同じような動作が行われる。
【００１３】
【発明が解決しようとする課題】
しかし、上述のシーソー釦の照明構造１００では、シーソー釦１１０と前面パネルの釦部挿入孔１２１との隙間から照明光が漏光する場合がある。その漏光防止対策としては例えばシーソー釦１１０の復帰ばねと漏光防止とを兼ねたバイアス部品（黒色の発泡ウレタン）が用いられるので、構成される部品点数が増え部材費および組立工数の増となりコスト高につながるおそれがある。
【００１４】
本発明は上述の問題を解決するもので、構成部品点数を増やすことなくシーソー釦の照明光の漏光防止手段が構成されたシーソー釦の照明構造を提供することを目的とする。
【００１５】
【課題を解決するための手段】
本発明は上述の目的を達成するもので、押圧動作によりスイッチを作動させる釦構造において、前記釦の裏面側に照明手段を有し、前記釦には照明手段の光源より下方に延在するとともに、少なくとも一部が光源を保持するホルダに設けられた孔に釦の押圧動作にかかわらず常時挿入状態となる光遮蔽部を備えることを特徴とするものである。
【００２４】
【発明の実施の形態】
本発明の第１の実施の形態を図１を用いて説明する。
【００２５】
図１は本発明の第１の実施の形態に係るシーソー釦の概略構造を示す図で、（ａ）平面図、（ｂ）Ａ−Ａ断面図、（ｃ）Ｂ−Ｂ断面図である。
【００２６】
１０はシーソー釦の照明構造で、１つの釦にシーソ機能を持たせ、シーソ機能により複数（本例２つ）の動作の切替え（例えばＯＮ、ＯＦＦ等）が可能で、電子機器等に多く用いられる。シーソー釦の照明構造１０は、シーソー釦２０、前面パネル３０およびホルダ３３等により構成されている。
【００２７】
シーソー釦２０は、指等で直接操作（押下げ）するＬ（左）側、Ｒ（右）側２箇所の操作部となる釦部２１と、釦部２１の図示下端面より外周方向（水平方向）へ張り出した縁部２２が形成されており、縁部２２の外周部には図示下方へ漏光防止部２７が形成されている。漏光防止部（照明手段の光源を囲う光遮蔽部に相当）２７の下端部はシーソー支点２６からＬ側とＲ側方向へそれぞれ傾斜して形成されている。
【００２８】
また、縁部２２にはＬ側とＲ側の略中央部（Ｌ側とＲ側を分岐するＢ−Ｂ線上の左右２箇所）に、断面形状が半円形の凸部２３が前面パネル３０の方向（図示上方向）へ突出している。また、釦部２１の裏面には、Ｐ側とＲ側の下方に設けられた例えばシートスイッチ３５の２箇所のスイッチ部３６、３７を押圧するスイッチ押部２４、２５が下方向へ突出して形成されている。また、釦部２０の縁部２２のＬ側とＲ側の略中央部（Ｂ−Ｂ線上の左右２箇所）に、シーソー機構の支点となるシーソー支点２６が垂直下方向（スイッチ押部２４、２５と同じ方向）へ突出して形成されている。シーソー支点２６は先端がホルダ３３の表面に当接しており、シーソー支点２６となる他に、釦部２１のＬ側とＲ側の中央部近傍を押した際に、Ｌ側とＲ側の下方２箇所のスイッチ部３６、３７を同時に押圧しないように防止する。
【００２９】
シーソー釦２０の材料には例えば乳白色のＡＢＳ樹脂が用いられ成形加工により形成される。成形加工後に釦部２１の表面を所定の塗料で塗装した後に、釦部２１のトップ部に塗装された塗装皮膜２８をレーザ加工等により除去（母材の乳白色が現れるまで）し、文字・記号（方形にて位置のみを図示）２９等を形成する。そして、釦部２１の裏面より照明用の発光ダイオード（ＬＥＤ）３８等により照明してトップ部に形成された文字や記号等を見やすくする。
【００３０】
前面パネル３０には、シーソー釦２０の釦部２１が挿入する釦挿入孔３１およびホルダ３３等の取り付け孔等が形成されている。
【００３１】
ホルダ３３には、シートスイッチ３５（スイッチ部３６、３７）および照明用の発光ダイオード３８等が取り付けられており、また、ホルダ３３にはシーソー釦２０の漏光防止部２７が挿通する孔３４（コ字形状をしておりコ字の開口方向を対向させた状態）が形成されている。その他に前面パネル３０への取付孔等が形成されている。
【００３２】
次に、シーソー釦の組付けについて説明する。
【００３３】
シーソー釦２０を組付けるには、図１で示すように先ず、シーソー釦２０を前面パネル３０の釦部挿入孔３１の図示下方から挿入し、シーソー釦２０の凸部２３を前面パネル３０の裏面に当接させる。次に、ホルダ３３をシーソー釦２０の下方から挿入し前面パネル３０にねじ止め（嵌め込み）にて固定する。ホルダ３３を前面パネル３０に固定することにより、シーソー釦２０の凸部２３とシーソー支点２６が前面パネル３０とホルダ３３とにより挟み込まれて固定される。この状態でシーソー釦２０は、Ｌ側とＲ側方向にシーソー動作が可能となる。
【００３４】
次に、シーソー釦の動作について説明する。
【００３５】
スイッチ部３６をＯＮさせるためにシーソー釦２０のＬ側を押すと、シーソー釦２０は、シーソー支点２６を支点にして矢印Ｌ方向へ回動し、シーソー釦２０のスイッチ押部２４の先端部がスイッチ部３６に当接して押し込みスイッチ部３６がＯＮする。尚、Ｌ側の押圧を解除するとスイッチ部３６の弾性力によってシーソー釦２０は元の位置へ復帰する。また、シーソー釦２０のＲ側を押すとＬ側を押した時の逆方向のスイッチ部３７がＯＮする。そして、Ｒ側の押圧を解除するとＬ側の押圧を解除した時と同じようにスイッチ部３７の弾性力によりシーソー釦１０は元の位置へ復帰する。
【００３６】
以上説明したように本発明の第１の実施の形態に係るシーソー釦の照明構造１０によれば、シーソー釦２０が操作時も非操作時も常にシーソー釦２０の下端部に形成された漏光防止部２７がホルダ３３の孔３４に挿通しているので、照明光（発光ダイオード３８）の反射光がシーソー釦２０の内部から漏れて、シーソー釦２０と前面パネル３０の隙間から漏光するのを防止することができる。尚、第１の実施の形態の照明構造ではシーソー釦２０を例に説明したが、その他に例えば押釦等にも適用できる。
【００３７】
尚、仕様によっては孔３４を設けずに、少なくとも漏光防止部２７のみを設けるようにしてもよい。
【００３８】
次に、本発明の第２の実施の形態を図２を用いて説明する。
【００３９】
図２は本発明の第２の実施の形態に係るシーソー釦の照明構造を示す概略図で、（ａ）平面図、（ｂ）Ｃ−Ｃ断面図、（ｃ）Ｄ−Ｄ断面図である。尚、第２の実施の形態で第１の実施の形態と同じ構成については同じ符号を付し説明を省略する。
【００４０】
１１はシーソー釦の照明構造で、１つの釦にシーソ機能を持たせ、シーソ機能により複数（本例２つ）の動作の切替え（例えばＯＮ、ＯＦＦ等）が可能で、電子機器等に多く用いられる。シーソー釦の照明構造１１は、シーソー釦４０、前面パネル３０およびホルダ５０等により構成されている。
【００４１】
シーソー釦４０は、指等で直接操作（押下げ）するＬ側、Ｒ側２箇所の操作部となる釦部４１と、釦部４１の図示下端面より外周方向（水平方向）へ張り出した縁部４２が形成されており、縁部４２にはＬ側とＲ側の略中央部（Ｌ側とＲ側を分岐するＤ−Ｄ線上の左右２箇所）に、断面形状が半円形の凸部４３が前面パネル３０の方向（図示上方向）へ突出している。また、釦部４１の裏面には、Ｌ側とＲ側の下方に設けられた例えばシートスイッチ３５の２箇所のスイッチ部３６、３７を押圧するスイッチ押部４４、４５が下方向へ突出して形成されている。
【００４２】
また、釦部４０のＬ側とＲ側の略中央部（Ｌ側とＲ側を分岐するＤ−Ｄ線上の左右２箇所）に、シーソー機構の支点となるシーソー支点４６が垂直下方向（スイッチ押部４４、４５と同じ方向）へ突出して形成されている。シーソー支点４６は先端がホルダ５０の表面に当接しており、シーソー支点４６となる他に、釦部４１のＬ側とＲ側の中央部近傍を押した際に、Ｌ側とＲ側の下方２箇所のスイッチ部３６、３７を同時に押圧しないように防止する。
【００４３】
シーソー釦４０の材料には例えば乳白色のＡＢＳ樹脂が用いられ成形加工により形成される。成形加工後に釦部４１の表面を所定の塗料で塗装した後に、釦部４１のトップ部に塗装された塗装皮膜４７をレーザ加工等により除去（母材の乳白色が現れるまで）し、文字・記号（方形にて位置のみを図示）４８等を形成する。そして、釦部４１の裏面より照明用の発光ダイオード（ＬＥＤ）３８等により照明してトップ部に形成された文字や記号等を見やすくする。
【００４４】
ホルダ５０には、シートスイッチ３５（スイッチ部３６、３７）および照明用の発光ダイオード３８等が取り付けられており、発光ダイオード３８の光の拡散を規制する漏光防止壁５１がＬ側とＲ側の２方向に立設（本体から切り起こし）している。その他に前面パネル３０への取付孔等が形成されている。
【００４５】
以上説明したように本発明の第２の実施の形態に係るシーソー釦の照明構造１１によればホルダ５０に形成された漏光防止壁５１により発光ダイオード３８の照明光の拡散が規制されるので、照明光の反射光がシーソー釦４０とホルダ５０の間から漏れて前面パネル３０の方へ漏光するのを防止することができる。尚、本実施の形態では漏光防止壁５１をＬ側とＲ側の２方向に形成したが、その他に４方向に形成してもよい。
【００４６】
次に、本発明の第３の実施の形態を図３を用いて説明する。
【００４７】
図３は本発明の第３の実施の形態に係るシーソー釦の照明構造を示す概略図で、（ａ）平面図、（ｂ）Ｅ−Ｅ断面図、（ｃ）Ｆ−Ｆ断面図である。尚、第３の実施の形態で第１および第２の実施の形態と同じ構成については同じ符号を付し説明を省略する。
【００４８】
１２はシーソー釦の照明構造で、１つの釦にシーソ機能を持たせ、シーソ機能により複数（本例２つ）の動作の切替え（例えばＯＮ、ＯＦＦ等）が可能で、電子機器等に多く用いられる。シーソー釦の照明構造１２は、シーソー釦５５、前面パネル３０およびホルダ６５等により構成されている。
【００４９】
シーソー釦５５は、指等で直接操作（押下げ）するＬ側、Ｒ側２箇所の操作部となる釦部５６と、釦部５６の図示下端面より外周方向（水平方向）へ張り出した縁部５７が形成されており、縁部５７外周部には図示下方へ漏光防止部６３が形成されている。また、縁部５７にはＬ側とＲ側の略中央部（Ｌ側とＲ側を分岐するＤ−Ｄ線上の左右２箇所）に、断面形状が半円形の凸部６４が前面パネル３０の方向（図示上方向）へ突出しており、釦部５６の裏面には、Ｌ側とＲ側の下方に設けられた例えばシートスイッチ６７の２箇所のスイッチ部３６、３７を押圧するスイッチ押部５８、５９が下方向へ突出して形成されている。
【００５０】
また、釦部４０のＬ側とＲ側の略中央部（Ｌ側とＲ側を分岐するＤ−Ｄ線上の左右２箇所）に、シーソー機構の支点となるシーソー支点６０が垂直下方向（スイッチ押部５８、５９と同じ方向）へ突出して形成されている。シーソー支点６０は先端がホルダ６５の表面に当接しており、シーソー機構の支点となる他に、釦部５６のＬ側とＲ側の中央部近傍を押した際に、Ｌ側とＲ側の下方２箇所のスイッチ部３６、３７を同時に押圧しないように防止する。
【００５１】
シーソー釦５５の材料には例えば乳白色のＡＢＳ樹脂が用いられ成形加工により形成される。成形加工後に釦部５６の表面を所定の塗料で塗装した後に、釦部５６のトップ部に塗装された塗装皮膜６１をレーザ加工等により除去（母材の乳白色が現れるまで）し、文字・記号（方形にて位置のみを図示）６２等を形成する。そして、釦部５６の裏面より照明用の発光ダイオード（ＬＥＤ）３８等により照明してトップ部に形成された文字や記号等を見やすくする。
【００５２】
ホルダ６５は、シートスイッチ６７（スイッチ部３６、３７）および照明用の発光ダイオード３８等の取付部６６がシーソー釦５５のトップ部の方へ本体から突出（押し出し加工）して形成されており、その他に前面パネル３０への取付孔等が形成されている。尚、取付部６６の表面にはシーソー釦５５のシーソー支点６０が当接する。
【００５３】
以上説明したように本発明の第３の実施の形態に係るシーソー釦の照明構造１２によれば、ホルダ６５に形成された発光ダイオード３８の取付部６６がシーソー釦５５のトップ部の方へ突出しているので、取付部６６に配設された発光ダイオード３８の照明光の反射光がシーソー釦５５の内周面と漏光防止部６３とで規制され、反射光がシーソー釦５５の下側から回り込み、シーソー釦５５と前面パネル３０の間から漏光するのを防止することができる。その他に、シーソー支点６０を上方に上げることにより漏光防止部６３を長くすることができるので漏光防止効果が向上する。
【００５４】
次に、本発明の第４の実施の形態を図４を用いて説明する。
【００５５】
図４は本発明の第４の実施の形態に係るシーソー釦の照明構造を示す概略図で、（ａ）平面図、（ｂ）Ｇ−Ｇ断面図、（ｃ）Ｈ−Ｈ断面図である。尚、第４の実施の形態で第１乃至第３の実施の形態と同じ構成については同じ符号を付し説明を省略する。
【００５６】
１３はシーソー釦の照明構造で、１つの釦にシーソ機能を持たせ、シーソ機能により複数（本例２つ）の動作の切替え（例えばＯＮ、ＯＦＦ等）が可能で、電子機器等に多く用いられる。シーソー釦の照明構造１３は、シーソー釦７０、前面パネル８０およびホルダ８５等により構成されている。
【００５７】
シーソー釦７０は、指等で直接操作（押下げ）するＬ側、Ｒ側２箇所の操作部となる釦部７１と、釦部７１の図示下端面より外周方向（水平方向）へ張り出した縁部７２が形成されており、縁部７２の外周より図示上方へ照明光の漏光防止部７３が形成されている。
【００５８】
また、縁部７２にはＬ側とＲ側の略中央部（Ｌ側とＲ側を分岐するＢ−Ｂ線上の左右２箇所）に、断面形状が半円形の凸部７４が前面パネル８０の方向（図示上方向）へ突出している。また、釦部７１の裏面には、Ｌ側とＲ側の下方に設けられた例えばシートスイッチ８６の２箇所のスイッチ部３６、３７を押圧するスイッチ押部７５、７６が下方向へ突出して形成されている。
【００５９】
また、釦部７１のＬ側とＲ側の略中央部（Ｌ側とＲ側を分岐するＨ−Ｈ線上の左右２箇所）に、シーソー機構の支点となるシーソー支点７７が垂直下方向（スイッチ押部７５、７６と同じ方向）へ突出して形成されている。シーソー支点７７は先端がホルダ８５の表面に当接しシーソー機構の支点となる。その他に、釦部７１のＬ側とＲ側の中央部近傍を押した際に、Ｌ側とＲ側の下方２箇所のスイッチ部３６、３７を同時に押圧しないように防止する。
【００６０】
シーソー釦７０の材料には例えば乳白色のＡＢＳ樹脂が用いられ成形加工により形成される。成形加工後に釦部７１の表面を所定の塗料で塗装した後に、釦部７１のトップ部に塗装された塗装皮膜７９をレーザ加工等により除去（母材の乳白色が現れるまで）し、文字・記号（方形にて位置のみを図示）７８等を形成する。そして、釦部７１の裏面より照明用の発光ダイオード（ＬＥＤ）３８等により照明してトップ部に形成された文字や記号等を見やすくする。
【００６１】
前面パネル８０には、シーソー釦７０の釦部７１が挿入する釦挿入孔８１および縁部７２の外周に形成された照明光の漏光防止部７３が係合する凹部（溝）８２が形成されている。尚、凹部８２は漏光防止部７３が動作時も非動作時も常に係合する深さに形成されている。その他にホルダ８５等の取り付け孔等が形成されている。
【００６２】
ホルダ８５には、シートスイッチ８６（スイッチ部３６、３７）および照明用の発光ダイオード３８等が取り付けられており、その他に前面パネル８０への取付孔等が形成されている。
【００６３】
以上説明したように本発明の第４の実施の形態に係るシーソー釦の照明構造１３においては、シーソー釦７０の縁部７２に形成された漏光防止部７３が前面パネル８０の裏面に形成された凹部８２に、常に係合するように構成されているので、照明光の反射光がシーソー釦７０の下側から回り込み、シーソー釦７０と前面パネル８０の間から漏光するのを防止することができる。
【００６４】
尚、仕様によっては特に凹部８２を設けずに、少なくとも漏光防止部７３のみを設けるようにしてもよい。
【００６５】
次に、本発明の第５の実施の形態を図５を用いて説明する。
【００６６】
図５は本発明の第５の実施の形態に係るシーソー釦の照明構造を示す概略図で、（ａ）平面図、（ｂ）Ｊ−Ｊ断面図、（ｃ）Ｋ−Ｋ断面図である。尚、第５の実施の形態で第１乃至第４の実施の形態と同じ構成については同じ符号を付し説明を省略する。
【００６７】
１４はシーソー釦の照明構造で、１つの釦にシーソ機能を持たせ、シーソ機能により複数（本例２つ）の動作の切替え（例えばＯＮ、ＯＦＦ等）が可能で、電子機器等に多く用いられる。シーソー釦の照明構造１４は、シーソー釦９０、前面パネル３０およびホルダ８５等により構成されている。
【００６８】
シーソー釦９０は、指等で直接操作（押下げ）するＬ側、Ｒ側２箇所の操作部となる釦部９１と、釦部９１の図示下端面より外周方向（水平方向）へ張り出した縁部９２が形成されており、縁部９２の外周より図示下方へ照明光の漏光防止部９３が形成されている。尚、漏光防止部９３は厚みが薄く、縁部９２とホルダ８５との間隔よりも長く形成されているので、組み立てた際には漏光防止部９３が撓んだ圧縮状態となっている。
【００６９】
また、縁部９２にはＬ側とＲ側の略中央部（Ｌ側とＲ側を分岐するＫ−Ｋ線上の左右２箇所）に、断面形状が半円形の凸部９４が前面パネル３０の方向（図示上方向）へ突出している。また、釦部９１の裏面には、Ｌ側とＲ側の下方に設けられた例えばシートスイッチ８６の２箇所のスイッチ部３６、３７を押圧するスイッチ押部９５、９６が下方向へ突出して形成されている。また、釦部９１のＬ側とＲ側の略中央部（Ｌ側とＲ側を分岐するＫ−Ｋ線上の左右２箇所）に、シーソー機構の支点となるシーソー支点９７が垂直下方向（スイッチ押部９５、９６と同じ方向）へ突出して形成されている。シーソー支点９７は先端がホルダ８５の表面に当接しシーソー機構の支点となる。その他に、釦部９１のＬ側とＲ側の中央部近傍を押した際に、Ｌ側とＲ側の下方２箇所のスイッチ部３６、３７を同時に押圧しないように防止する。
【００７０】
シーソー釦９０の材料には例えば乳白色のＡＢＳ樹脂が用いられ成形加工により形成される。成形加工後に釦部９１の表面を所定の塗料で塗装した後に、釦部９１のトップ部に塗装された塗装皮膜９８をレーザ加工等により除去（母材の乳白色が現れるまで）し、文字・記号（方形にて位置のみを図示）９９等を形成する。そして、釦部９１の裏面より照明用の発光ダイオード（ＬＥＤ）３８等により照明してトップ部に形成された文字や記号等を見やすくする。
【００７１】
以上説明したように本発明の第５の実施の形態に係るシーソー釦の照明構造１４においては、シーソー釦９０の縁部９２に形成された漏光防止部９３の下端部が常にホルダ８５の表面に密着しているので、照明光の反射光がシーソー釦７９の下側から回り込み、シーソー釦９０と前面パネル８０の間から漏光するのを防止することができる。また、漏光防止部９３は弾性構造となっているのでシーソー釦９０を押圧した時の復帰力となる。
【００７２】
【発明の効果】
以上説明したように本発明によれば、構成部品点数を増やすことなくシーソー釦の照明光の漏光防止手段が構成されたシーソー釦の照明構造を提供することができる。また、小スペース化への対応が容易でコスト低減が図れる。
【図面の簡単な説明】
【図１】本発明の第１の実施の形態に係るシーソー釦の照明構造を示す概略図である。
【図２】本発明の第２の実施の形態に係るシーソー釦の照明構造を示す概略図である。
【図３】本発明の第３の実施の形態に係るシーソー釦の照明構造を示す概略図である。
【図４】本発明の第４の実施の形態に係るシーソー釦の照明構造を示す概略図である。
【図５】本発明の第５の実施の形態に係るシーソー釦の照明構造を示す概略図である。
【図６】従来のシーソー釦の照明構造を示す概略図である。
【符号の説明】
１０，１１，１２，１３，１４・・シーソー釦の照明構造
２０，４０，５５，７０，９０・・シーソー釦
２１，４１，５６，７１，９１・・釦部
２２，４２，５７，７２，９２・・縁部
２３，４３，６４，７４，９４・・凸部
２４，２５，４４，４５，５８，５９，７５，７６，９５，９６・・スイッチ押部
２６，４６，６０，７７，９７・・シーソー支点
２７，６３，７３，９３・・漏光防止部
２８，４７，６１，７９，９８・・塗装皮膜
２９，４８，６２，７８，９９・・文字・記号
３０，８０・・前面パネル
３１，８１・・釦挿入孔
３３，５０，６５，８５・・ホルダ
３４・・孔
３５，６７，８６・・シートスイッチ
３６，３７・・スイッチ部
３８・・発光ダイオード
５１・・漏光防止壁
６６・・取付部
８２・・凹部
【図１】
0004162831.tif 000002
【図２】
0004162831.tif 000003
【図３】
0004162831.tif 000004
【図４】
0004162831.tif 000005
【図５】
0004162831.tif 000006
【図６】
0004162831.tif 000007